(57)【要約】【課題】  信号処理装置による信号処理に関する情報を、限られた表示画面上で、わかりやすく表示させ、そのための操作が簡単である信号処理情報表示装置を提供する。【解決手段】  第１の表示部品２１ａを有する第１の表示領域２１、第２の表示部品２２ａを有する第２の表示領域２２、および、共通の表示部品２３ａを有した共通の表示領域２３を有する。表示画面生成部６は、第１の信号処理が選択されたときは、図２（ａ）のように、共通の表示領域２３と第２の表示領域２２との間を区切り、共通の表示部品２３ａに第１の信号処理に関する他の情報を表現させる表示画面を生成する。一方、第２の信号処理が選択されたときは、図２（ｂ）のように、第１の表示領域２１と共通の表示領域２３とを区切り、共通の表示部品２３ａに第２の信号処理に関する他の情報を表現させる表示画面を生成する。【選択図】図２
2005115745.tif 000002
【特許請求の範囲】
【請求項１】
信号処理装置を用いた少なくとも第１の信号処理および第２の信号処理に関する情報を、ポインティング・デバイスの操作と相互に関連づけてディスプレイに表示させる信号処理情報表示装置であって、
前記第１，第２の信号処理に関する情報をそれぞれ入力する第１，第２の入力手段と、
前記第１，第２の信号処理に共通した共通の信号処理に関する情報を入力する第３の入力手段と、
前記ポインティング・デバイスの操作により選択された前記第１または第２の信号処理を検出する選択検出手段と、
前記第１の入力手段により入力された第１の信号処理に関する情報を表現する第１の表示部品を有した第１の表示領域、前記第２の入力手段により入力された第２の信号処理に関する情報を表現する第２の表示部品を有した第２の表示領域、および、前記第３の入力手段により入力された共通の信号処理に関する情報を表現する共通の表示部品を有した共通の表示領域を有し、
前記選択検出手段により前記第１の信号処理が選択されたときは、前記第１の表示領域と前記共通の表示領域とを結合して、前記共通の表示領域と前記第２の表示領域との間を区切るとともに、前記共通の表示部品に前記第１の信号処理に関する他の情報を表現させた表示画面を生成し、前記選択検出手段により前記第２の信号処理が選択されたときは、前記第１の表示領域と前記共通の表示領域とを区切り、前記共通の表示領域と前記第２の表示領域との間を結合するとともに、前記共通の表示部品に前記第２の信号処理に関する他の情報を表現させた表示画面を生成する表示画面生成手段、
を有することを特徴とする信号処理情報表示装置。
【請求項２】
前記ポインティング・デバイスによる操作により、前記信号処理装置に対する、第１，第２の信号処理を制御する設定情報を設定する設定手段を有し、
前記選択検出手段は、前記ポインティング・デバイスにより、前記設定手段に前記第１，第２の信号処理を制御する設定情報を設定する操作に応じて、前記第１または第２の信号処理の一方の選択を検出し、
前記第１，第２の入力手段は、それぞれ、前記設定手段から、前記第１，第２の信号処理を制御する設定情報を、前記第１，第２の信号処理に関する情報として入力し、
前記第３の入力手段は、前記第１または第２の信号処理における信号の状態を、前記共通の信号処理に関する情報として入力するものである、
ことを特徴とする請求項１に記載の信号処理情報表示装置。
【発明の詳細な説明】
【技術分野】
【０００１】
本発明は、信号処理装置による信号処理に関する情報を、ポインティング・デバイスの操作と相互に関連づけてディスプレイに表示させる信号処理情報表示装置に関するものである。信号の状態をモニターしながら、信号処理に関する設定操作を行うユーザ・インターフェースとして用いられる。
【背景技術】
【０００２】
従来、オーディオ信号に残響を加えたり、周波数特性を調整したりするエフェクト装置が知られている。複数チャンネルのオーディオ信号を入力して合成し、１または複数のチャンネルのオーディオ信号を出力するミキシング装置に、エフェクト付加機能が内蔵されて、各出力チャンネルのオーディオ信号にエフェクトをかける場合もある。
最近のミキシング装置では、オーディオ信号をディジタル化し、ディジタル信号処理によりミキシング処理およびエフェクト処理を行う。そのため、コンソールパネル上の操作子を用いるほかに、ディスプレイに操作子を表示させ、マウス等のポインティング・デバイスの操作でこの操作子を動かすことにより、種々の設定操作を行う。すなわち、GUI（Graphical User Interface）を用いた操作を行う。
【０００３】
上述したGUIを用いた操作は、オーディオ・ミキシング装置に接続されたパーソナルコンピュータの側で行う場合もある。また、パーソナルコンピュータに、オーディオ・ミキシングおよびエフェクトを付加するプログラムをインストールして行われる場合もある。
パーソナルコンピュータにおいては、また、演奏データの記録再生を行うシーケンサー・ソフトウェア・プログラムをインストールして、GUIを用いた操作でエフェクトを付加する場合もある。
上述したGUIを用いた操作でエフェクトを付加する場合、ディスプレイに表示されるグラフィック画面は、エフェクトの特性自体を想起させるものではなかった。
【０００４】
往時においては、スタジオ用オープンデッキを用いて、オーディオ信号をアナログ磁気テープにマルチトラック録音し、再生したオーディオ信号をオーディオ・ミキシング装置で、例えば、ステレオの２チャンネルにトラックダウンするようなことが行われていた。このオープンデッキによる録音再生過程において、オーディオ信号の音質が変化していた。
最近では、録音再生もディジタルで行われるので、音質の変化がない。しかし、上述した過去の時代のミキシング過程により得られる音質の変化を再現したいという要望もある。そのため、このような音質の変化をエフェクタ機能で実現することが考えられている。
【０００５】
しかし、音質の変化は、アナログ・マスター・テープ・レコーダのメーカや機種によって微妙に異なるために、機種やメーカを指定してエフェクト処理を行う。その際、操作画面をオープンデッキとし、メーカや機種に似せたものにすれば、GUIを用いたエフェクト操作を、一層リアルで実感の伴う操作にすることができる。ところが、ディスプレイは、表示面積が限られており、さらに、画面中に複数のウィンドウを表示することが多いから、メーカや機種の特徴を生かしながら、表示する内容を省略する必要性が生じた。
【発明の開示】
【発明が解決しようとする課題】
【０００６】
本発明は、上述した問題点を解決するためになされたもので、信号処理装置による信号処理に関する複数の情報を、限られた表示画面上で、わかりやすく表示させ、かつ、そのための操作が簡単である信号処理情報表示装置を提供することを目的とするものである。
【課題を解決するための手段】
【０００７】
本発明は、請求項１に記載の発明においては、信号処理装置を用いた少なくとも第１の信号処理および第２の信号処理に関する情報を、ポインティング・デバイスの操作と相互に関連づけてディスプレイに表示させる信号処理情報表示装置であって、前記第１，第２の信号処理に関する情報をそれぞれ入力する第１，第２の入力手段と、前記第１，第２の信号処理に共通した共通の信号処理に関する情報を入力する第３の入力手段と、前記ポインティング・デバイスの操作により選択された前記第１または第２の信号処理を検出する選択検出手段と、前記第１の入力手段により入力された第１の信号処理に関する情報を表現する第１の表示部品を有した第１の表示領域、前記第２の入力手段により入力された第２の信号処理に関する情報を表現する第２の表示部品を有した第２の表示領域、および、前記第３の入力手段により入力された共通の信号処理に関する情報を表現する共通の表示部品を有した共通の表示領域を有し、前記選択検出手段により前記第１の信号処理が選択されたときは、前記第１の表示領域と前記共通の表示領域とを結合して、前記共通の表示領域と前記第２の表示領域との間を区切るとともに、前記共通の表示部品に前記第１の信号処理に関する他の情報を表現させた表示画面を生成し、前記選択検出手段により前記第２の信号処理が選択されたときは、前記第１の表示領域と前記共通の表示領域とを区切り、前記共通の表示領域と前記第２の表示領域との間を結合するとともに、前記共通の表示部品に前記第２の信号処理に関する他の情報を表現させた表示画面を生成する表示画面生成手段を有するものである。
従って、第１の信号処理に関する他の情報と、第２の信号処理に関する他の情報とが、択一的に表示されるので、限られた表示画面を有効に用いて情報の表示を行うことができる。これらの表示領域は、同じ信号処理に関する情報の表示領域と結合して表示され、異なる信号処理に関する情報の表示領域とは区切られて表示されるので、わかりやすく表示される。また、これらの表示の選択は、第１の信号処理を選択したか、第２の信号処理を選択したかを検出して自動的に行われるために、操作が簡単である。
【０００８】
本発明は、請求項２に記載の発明においては、請求項１に記載の信号処理情報表示装置において、前記ポインティング・デバイスによる操作により、前記信号処理装置に対する、第１，第２の信号処理を制御する設定情報を設定する設定手段を有し、前記選択検出手段は、前記ポインティング・デバイスにより、前記設定手段に前記第１，第２の信号処理を制御する設定情報を設定する操作に応じて、前記第１または第２の信号処理の一方の選択を検出し、前記第１，第２の入力手段は、それぞれ、前記設定手段から、前記第１，第２の信号処理を制御する設定情報を、前記第１，第２の信号処理に関する情報として入力し、前記第３の入力手段は、前記第１または第２の信号処理における信号の状態を、前記共通の信号処理に関する情報として入力するものである。
従って、第１，第２の信号処理を制御する設定情報を見ることができるとともに、ポインティング・デバイスにより、第１，第２の信号処理を制御する設定情報を設定する操作に応じて、第１，第２の信号処理のうち、設定情報が設定される側の信号処理における信号の状態を見ることがきるので、設定操作が容易になる。
【０００９】
上述した各請求項に記載の発明は、各手段を処理ステップとするプログラムをコンピュータに実行させることによって実現することができる。
このプログラムは、単独の制御プログラムとして、あるいは、オペレーティングシステムのプログラムの制御下で実行されるアプリケーションプログラムとして提供される。
【発明の効果】
【００１０】
ディスプレイ画面、あるいは、その中のウィンドウ画面のように表示可能な面積が限られた表示画面上で、信号処理に関する多数の情報を表示させたいときに、わかりやすく表示させることができ、かつ、そのために必要とする操作が簡単であるという効果がある。
操作子を表示させて複数の信号処理を行う信号処理装置に対する設定をする場合に、信号処理装置の信号の状態をメータでモニターしながら行う場合に適している。
【発明を実施するための最良の形態】
【００１１】
図１は、本発明の実施の一形態を示す機能ブロック図である。
図中、信号処理情報表示装置１は、CPUを内蔵し、制御プログラムで動作する専用の装置として、あるいは、アプリケーションプログラムがインストールされ、オペレーティングシステムの下で動作するパーソナルコンピュータにより実現される。
信号処理装置２は、例えば、オーディオ信号に対するエフェクタ、あるいは、エフェクタ機能を内蔵したオーディオ・ミキシング装置である。１または複数のチャンネルのオーディオ入力信号を入力し、必要に応じて入力信号のミキシングが行われ、１または複数の出力チャンネルのオーディオ信号として出力される。一般的には、各出力チャンネルのオーディオ信号にエフェクトの付加が行われる。
【００１２】
ポインティング・デバイス３は、マウス，トラックボール，タブレット、その他、矢印ボタンなどのカーソル・キーなどであり、ディスプレイ４の表示画面上の位置を指示するとともに、関連するボタンスイッチあるいはキーの種々の操作に応じて、所定の機能を実行させる。
ポインティング・デバイス３の操作とディスプレイ４の画面とは、相互に関連づけられており、両者は、信号処理情報表示装置１によって、ユーザと信号処理装置２との間のGUIとなる。
すなわち、画面に操作対象の操作子が表示され、画面上の位置を指定するポインティング・デバイスで対象となる操作子を直接的に指示し、ポインティング・デバイスに関連したボタン操作で特定の機能が実行される。
【００１３】
信号処理情報表示装置１は、信号処理設定部５を有し、ポインティング・デバイス３による操作を検出し信号処理装置２に対する設定情報を設定する。
表示画面生成部６は、ディスプレイ４に表示させる表示画面を生成する。画像合成（コンピュータグラフィックス）技術を用いて実現できる。
信号処理設定部５と表示画面生成部６とは、インターフェース７で相互接続され、GUIを実現する。例えば、信号処理設定部５からはポインティング・デバイス３の移動量や関連するボタンの操作情報を表示画面生成部６に転送し、表示画面生成部６では、表示画面上におけるポインタの位置を決定する。
表示画面生成部６からは、表示画面上における、ポインタをはじめとする各表示部品の配置を信号処理設定部５に転送し、信号処理設定部５では、ポインタがどの表示部品の上に位置しているかなどを検出して、設定情報を設定する処理を行う。
【００１４】
図２は、図１に示したディスプレイ４に表示させる画面の一例を示す説明図である。
GUIパネル２０は、ディスプレイ４に表示させる表示画面である。
第１の表示部品２１ａを有する第１の表示領域２１、第２の表示部品２２ａを有する第２の表示領域２２、および、これらの間に、かつ、これらに隣接して、共通の表示部品２３ａを有する共通の表示領域２３を有する。GUIパネル２０は、例えば、ディスプレイ４に表示されるウィンドウ内の全領域、または、一部領域に表示される。
表示部品２１ａ，２２ａ，２３ａ，２３ｂは、信号処理に関する情報を、この情報に関連して具体的な物理的実体を模擬して表現する画像である。それぞれ、複数の表示部品の集合体である場合もある。
【００１５】
一例として、信号処理装置２が、背景技術において説明したような、オープンデッキの音質を付加する場合を説明する。第１の信号処理は録音系の信号処理、第２の信号処理は再生系の信号処理である。両信号処理を加えたものでオープンデッキの音質が付加される。
表示部品２１ａは録音系の操作子を表現する画像であり、表示部品２２ａは再生系の操作子を表現する画像である。表示部品２３ａは、第１の信号処理または第２の信号処理の信号の状態をVUメータで表現する画像である。
【００１６】
図２（ａ）は、第１の信号処理（録音系）がポインティング・デバイスで選択されているときのもので、表示部品２３ａは、録音系のVUメータを表現する画像になる。
図２（ｂ）は、第２の信号処理（再生系）がポインティング・デバイスで選択されているときのもので、表示部品２３ａは、再生系のVUメータを表現する画像になる。
第１の表示領域２１，第２の表示領域２２，共通の表示領域２３は、それぞれ、録音系操作パネル，再生系操作パネル，メータ表示パネルを模擬して表現する背景画像になっている。
図１において、図２に示した表示画面を表示させるための情報を入力するブロックとして、第１の信号処理情報入力部９、第２の信号処理入力部１０、共通の信号処理情報入力部１１がある。信号処理部２は、少なくとも第１の信号処理、第２の信号処理を行う。
【００１７】
信号処理設定部５から、第１の信号処理情報入力部９は、第１の信号処理に関する情報を入力し、第２の信号処理情報入力部１０は、第２の信号処理に関する情報を入力する。
また、共通の信号処理情報入力部１１は、信号処理装置２から、第１，第２の信号処理に共通した共通の信号処理に関する情報として、第１，第２の信号処理における信号の状態を入力する。
図示の例においては、第１の信号処理における信号の状態とは、録音入力レベルであり、VUメータで表示され、録音系の操作子操作によってレベルが変化する。第２の信号処理における信号状態とは、再生出力信号レベルであり、VUメータで表示され、再生系の操作子操作によってレベルが変化する。
このような音量レベルに限らず、信号処理における信号状態とは、時間軸に対する信号振幅を表す信号波形、周波数軸に対する周波数成分を表す周波数スペクトルなどでもよい。
【００１８】
信号処理選択検出部８は、また、信号処理設定部５から、ポインティング・デバイス３による、第１または第２の信号処理、の一方の選択を検出する。信号処理選択検出部８は、例えば、図２に示したポインタ２４が、第１の表示部品２１ａおよび第２の表示部品２２ａのいずれの画像上に位置して、ボタンをクリック操作されたかによって、第１の信号処理，第２の信号処理の一方を選択する。次に、他方の表示部品の画像上に位置して、再びクリックされるまでは、選択状態が保持される。
【００１９】
表示画面生成部６は、第１，第２の信号処理情報入力部９，１０により入力された第１，第２の信号処理に関する情報を第１，第２の表示部品２１ａ，２２ａにより表現する。また、共通の信号処理情報入力部１１により入力された共通の信号処理に関する情報を共通の表示部品２３ａにより表現する。
その際、信号処理選択検出部８により第１の信号処理が選択されたときは、図２（ａ）に示したように、第１の表示領域２１と共通の表示領域２３とを結合し、共通の表示領域２３と第２の表示領域２２との間を区切り表示部２５によって区切るともに、共通の表示部品２３ａに第１の信号処理に関する他の情報を表現させる表示画面を生成する。
一方、信号処理選択検出部８により第２の信号処理が選択されたときは、図２（ｂ）に示したように、第１の表示領域２１と共通の表示領域２３とを区切り表示部２５によって区切り、共通の表示領域２３と第２の表示領域２２との間を結合するとともに、共通の表示部品２３ａに第２の信号処理に関する情報を表現させる表示画面を生成する。
上述した表示領域の結合により表示領域が一体化され、上述した表示領域の区切りにより表示領域が分離される。
【００２０】
従って、共通の表示領域２３に表示される共通の表示部品２３ａは、第１，第２の信号処理のいずれが選択されているときであるか（あるいは、いずれが操作されているか）によって、信号処理に関する情報を表現する対象が第１，第２の信号処理のいずれかに切り替えられ、かつ、いずれに切り替えられたかがわかる。
【００２１】
なお、区切り表示部２５は、必ずしも区切り線（表示部品）で区切る必要はない。区切り線がなくても、共通の表示領域２３と、第１または第２の表示領域２１，２２の一方との間を区分する区切り表示部２５が実質的に形成される場合がある。
例えば、第１の信号処理に関する情報を表示する領域と、第２の信号処理に関する情報を表示する領域との間で、表示の態様を異ならせる。表示の態様とは、例えば、表示領域全体の配色、あるいは、表示領域の背景の態様（配色や模様、テクスチャなど）である。
図２（ａ）において、共通の表示領域２３は、第１の信号処理に関する情報を表示する領域となっているから、第２の表示領域２２との間で区切られる。図２（ｂ）において、共通の表示領域２３は、第２の信号処理に関する情報を表示する領域となっているから、第１の領域２２との間で区切られる。
【００２２】
なお、第１の表示領域２１，共通の表示領域２３、第２の表示領域２２は、横方向以外に、縦方向や斜め方向に配列して表示してもよい。
図示の例では、２つの信号処理に関する情報の表示であった。しかし、３以上の信号処理に関する情報の表示に適用することも可能である。この場合は、中心に共通の表示領域２３を配置し、その周囲に、第１の表示領域２１，第２の表示領域２２，…等を配置すればよい。
選択あるいは操作が検出された信号処理に関する情報を表現する表示部品を有する表示領域と、共通の表示領域２３との間を結合し、その他の信号処理に関する情報を表現する表示部品を有する表示領域と、共通の表示領域２３とを区切るようにすればよい。
【００２３】
図３は、図１に示した表示画面生成部６における表示領域の区切り位置決定動作を説明するフローチャートである。図２に示したディスプレイ４に表示させる表示画面を、具体的にオープンテープデッキの録音再生系をシミュレートするエフェクタに適用した場合の表示画面であるとして示す。
Ｓ３１において、GUIパネル２０の操作イベントを検出する。例えば、ポインティング・デバイス３のボタンがクリックされたことを検出する。
Ｓ３２において、録音系の操作子（第１の表示部品）２１ａに対する操作が検出された（図２（ａ）に示したように、第１の表示部品２１ａ上にポインタ２４が位置しているときにクリックされた）ときはＳ３３に処理を進める。そうでないときはＳ３４に処理を進め、再生系の操作子（第２の表示部品）に対する操作が検出された（図２（ｂ）に示したように、第２の表示部品２２ａ上にポインタ２４が位置しているときにクリックされた）ときは、Ｓ２５に処理を進め、そうでないときにはVUメータ表示タスクを終了する。
【００２４】
Ｓ３３においては、VUメータ（共通表示部品）２３ａがあるメータ表示パネル（共通表示領域）２３を、録音系操作パネル（第１の表示領域）２１に含ませる形に区切って表示して、VUメータ表示タスクを終了する。VUメータ（共通表示部品）２３ａは、録音系の録音入力レベル（第１の信号処理に関する信号の状態）の表示をして、VUメータ表示タスクを終了する。
Ｓ３５においては、VUメータ（共通表示部品）２３ａがあるメータ表示パネル（共通表示領域）２３を、再生系操作パネル（第２の表示領域）２２に含ませる形に区切って表示して、VUメータ表示タスクを終了する。VUメータ（共通表示部品）２３ａは、再生系の再生出力レベル（第２の信号処理に関する信号の状態）の表示をして、VUメータ表示タスクを終了する。
【００２５】
図４は、ディスプレイに表示させる表示画面の第１の具体例を示す図である。オープンデッキの録音再生系の周波数特性を、ディジタル信号処理プロセッサで等価的に再現し、これをエフェクトとして設定する。
エフェクトの特性（仮想的なオープンデッキの録音再生特性）を想起させる製品のパネルを画面に示している。
図４（ａ）は録音系（録音入力用テープデッキ）に対応する第１の信号処理を選択したときの画面を示す図であり、図４（ｂ）は再生系（再生出力用テープデッキ）に対応する第２の信号処理を選択したときの画面を示す図である。ポインタの表示は省略している。
【００２６】
図４（ａ）において、４０は子ウィンドウ（ドキュメントウィンドウ）であって、ディスプレイに表示される親ウィンドウ（アプリケーションウィンドウ）の中のワークエリアに表示される。ワークエリアには、オーディオ・ミキシング装置の他の子ウィンドウも表示される。
４０ａは録音入力用オープンデッキの機種名の表示部であり、４０ｂは再生出力用オープンデッキの機種名の表示部である。
ユーザの図示しない選択操作により、録音系と再生系とで、特性が異なるオープンデッキを指定できる。図４に示す例では、同じ機種が選択されている。
【００２７】
４０ｃは切り替えスイッチ（表示部品）であって、録音系と再生系のいずれか一方を選択する１手段としての信号処理選択部である。マウスにより、切り替えスイッチ４０ｃのノブ位置にポインタの位置を合わせて左クリックし、ノブをドラッグする操作により、録音系と再生系の信号処理の一方を選択する。
４０ｄはオープンデッキの画像であって、テープが送られているように見えるアニメーション表示をさせる。
４０ｅはテープスピード選択スイッチ（表示部品）であって、マウス操作によりオープンデッキのテープスピード（１５，３０）を選択する。テープスピードによって周波数特性が変化する。
４０ｆはテープ種類（古いテープ、新しいテープ）選択スイッチであって、オープンデッキに使用されるテープ品質を選択する。テープ品質によって、ノイズの大きさが変化する。
【００２８】
４１は録音系のオープンデッキパネルである。４１ａは木枠（パネルの両端部の木枠を表す表示部品）、４１ｂは録音レベル設定操作子（ボリューム）、４１ｃは高域レベル設定操作子（ボリューム）、４１ｄは録音バイアスレベル設定操作子（ボリューム）である。録音バイアスのレベルによって周波数特性が変わる。録音レベルが大きくなるとオーディオ信号に歪みが生じる。４１ｂはオートメークアップスイッチである。ボリューム型の各操作子には、設定値を表す数値表示部が設けられている。
４２は、再生系のオープンデッキパネルである。４２ａは木枠（パネルの両端部の木枠を表す表示部品）、４２ｂは再生レベル設定操作子（ボリューム）、４２ｃは高域レベル設定操作子（ボリューム）、４２ｄは低域レベル設定操作子（ボリューム）である。ボリューム型の各操作子には、設定値を表す数値表示部が設けられている。
【００２９】
４３はメータ表示パネルである。４３ａはオーディオ信号の平均的なレベルを示す第１トラックのオーディオ信号のVUメータ、４３ｂはオーディオ信号のピークレベルを指示する第１トラックのピークレベルメータである。４３ｃ，４３ｄは、それぞれ、第２トラックのオーディオ信号のVUメータ、ピークレベルメータである。第１，第２トラックは、一般的には、ステレオの左右のチャンネルが割り当てられる。
図４（ａ）においては、録音系の信号処理が選択されている。
上述した切り替えスイッチ（表示部品）４０ｃの操作によって選択される他、ポインタの位置を、録音レベル設定操作子４１ｂ等の位置に合わせて左クリックすることによっても、録音系の信号処理が選択される。
引き続きドラッグ操作をすることにより、録音レベル設定操作子４１ｂ等の操作子が操作されて設定値が信号処理装置に設定される。一般的には、図示しない、キーボード上のエンターキー等によって、設定値が最終的に信号処理装置２に設定される場合がある。
【００３０】
また、ポインタの位置が録音系のオープンデッキパネル４１上の任意の位置にあるときに、マウスをクリック操作することによっても、録音系の信号処理が選択されるようにしてもよい。
録音系の信号処理が選択されれば、切り替えスイッチ（表示部品）４０ｃのノブの表示位置が変化する。
録音系のオープンデッキパネル４１とメータ表示パネル４３とは結合され、一体化されたパネルとして表示される。両者の間に木枠４１ａはない。メータ表示パネル４３と再生系のオープンデッキパネル３２とは区切り表示部４５（黒い隙間）により区切られ、分離したパネルとして表示される。この具体例では、パネルの両端に木枠があるため、木枠４１ａ，４２ａによっても区切られて表示される。
また、メータ表示パネル４３に配置された、VUメータ４３ａ，４３ｃ、ピークレベルメータ４３ｂ，４３ｄは、録音入力レベル（信号の状態）を表示している。
【００３１】
図４（ｂ）において、図４（ａ）と同様な部分には同じ符号を付したり、符号を省略したりしている。
切替スイッチ（表示部品）４０ｃのノブの位置は、再生系のオープンデッキの信号処理を選択する位置に表示されている。
図４（ｂ）の再生系の信号処理が選択されている状態は、切り替えスイッチ（表示部品）４０ｃの操作によって選択される他、マウスでポインタの位置を、再生レベル設定操作子４２ｂ等の操作子の位置に合わせてクリックすることによっても選択される。あるいは、ポインタの位置が再生系のオープンデッキパネル４２上の任意の位置にあるときに、マウスをクリック操作することによっても、再生系の信号処理が選択されるようにしてもよい。
メータ表示パネル４３と再生系のオープンデッキパネル４２とは結合され、一体化されたパネルとして表示され、録音系のオープンデッキパネル４１とメータ表示パネル４３とは区切り表示部４５（黒い隙間）により区切られて、分離したパネルとして表示される。
また、VUメータ４３ａ，４３ｃ、ピークレベルメータ４３ｂ，４３ｄは、再生系のオーディオ信号の再生出力レベル（信号の状態）を表示している。
【００３２】
図５は、ディスプレイに表示させる表示画面の第２の具体例を示す図である。図４と同様な部分には同じ符号を付したり、符号を省略したりしている。
図示の例では、録音入力用テープデッキと再生出力用のテープデッキとが異ならせている。機種によって、パネルの画像（背景の模様）や操作子の形状、メータの形状が独特のものとなる。
【００３３】
図５（ａ）は録音系（録音入力用テープデッキ）に対応する第１の信号処理を選択したときの表示画面を示す図である。
録音入力用テープデッキとして図４に示した機種とは異なる機種が選択され、再生出力用テープデッキとして図４に示した機種と同じ機種が選択されている。
５１は録音系のオープンデッキパネルである。５１ｂは録音レベル設定操作子、５１ｃは高域レベル設定操作子、５１ｄは録音バイアスレベル設定操作子、５１ｅはオートメークアップスイッチである。
５３はメータ表示パネルである。５３ａはオーディオ信号の平均的なレベルを示す第１トラックのオーディオ信号のVUメータ、５３ｂはオーディオ信号のピークレベルを示す第１トラックのピークレベルメータである。５３ｃ，５３ｄは、それぞれ、第２トラックのオーディオ信号のVUメータ，ピークレベルメータである。
録音系のオープンデッキパネル５１とメータ表示パネル５３とは結合され、一体化されたパネルとして表示され、メータ表示パネル５３と再生系のオープンデッキパネル４２とは区切り表示部４５（黒い隙間）により区切られ、分離したパネルとして表示される。この具体例では、録音系と再生系とではテープデッキの機種が相違するため、機種の相違によるパネルの相違によっても区切られて表示される。
また、メータ表示パネル５３に配置された、VUメータ５３ａ，５３ｃ、ピークレベルメータ５３ｂ，５３ｄは、録音入力レベル（信号の状態）を表示している。
【００３４】
図５（ｂ）は再生系（再生出力用テープデッキ）に対応する第２の信号処理を選択したときの表示画面を示す図である。録音入力用テープデッキとして図４に示した機種と同じ機種が選択され、再生出力用テープデッキとして、図５（ａ）の録音入力用テープデッキの機種が選択されている。
５２は、再生系のオープンデッキパネルである。５２ｂは再生レベル設定操作子、５２ｃは高域レベル設定操作子、５２ｄは低域レベル設定操作子であって、図２に示した第２の表示部品２２ａに対応する。
メータ表示パネル５３と再生系のオープンデッキパネル５２とは結合され、一体化されたパネルとして表示され、録音系のオープンデッキパネル４１とメータ表示パネル５３とは区切り表示部４５（黒い隙間）により区切られ、分離したパネルとして表示される。
また、VUメータ５３ａ，５３ｃ、ピークレベルメータ５３ｂ，５３ｄは、再生系のオーディオ信号の再生出力レベル（信号の状態）を表示している。
【００３５】
図４，図５に示した具体例においては、面積が限られた表示領域の表示画面を用い、録音系と再生系とで、それぞれ、同一または異なる種類のオープンデッキの特性を模擬するエフェクトを、このエフェクトの特性を想起させるオープンデッキの画像で表示した。
VUメータは、録音入力レベルモニター，再生出力レベルモニターとなるように、簡単な操作で切り替え選択できる。表示画面を２つの領域に区切る区切り表示部４５の位置を移動させることにより、録音系をモニターしているのか、再生系をモニターしているのかを、わかりやすく明示できている。
【００３６】
図４，図５を参照した具体例の説明では、操作子の操作部の形状として、回転式ボリュームのノブしか説明しなかった。しかし、設定情報を設定する操作子の形状は、GUI用には、通常、物理的実体を模擬するものを用いるので、様々な形状が採用される。スナップスイッチ（トグルスイッチ）、0〜9の数値ダイアルを回転させるディジットスイッチなどもある。
【００３７】
上述した説明では、第１，第２の信号処理に関する情報として、信号処理装置に対する設定値を、操作子の操作位置および操作位置に対応した数値で表現したものとした。
また、第１，第２の信号処理に共通した共通の信号処理に関する情報として、第１，第２の信号処理における信号の状態とした。
しかし、信号処理に関する情報としては、様々な情報が可能である。
【００３８】
図６は、図１に示したディスプレイ４に表示させる表示画面の他の例を示す説明図である。
図６（ａ）において、６１は共通の操作パネルであり、６１ａは共通の操作子である。第１，第２の信号処理（録音系，再生系）に共通する共通の信号処理に関する情報を、信号処理装置に対する他の設定値とする。具体的には、共通操作子６１ａの操作位置や数値などで表現したものとする。
図６（ｂ）において、６２は録音系メータ表示パネル、６２ａは録音系VUメータである。６３は再生系メータ表示パネル、６３ａは再生系VUメータである。第１，第２の信号処理（録音系，再生系）に関する情報を、第１，第２の信号処理における信号状態とする。具体的には、録音系VUメータ６２ａ，再生系VUメータとする。また、共通の信号処理に関する情報として、信号処理装置に対する設定値を操作子の操作位置および数値で表現したものとする。具体的には、共通操作子６１ａの操作位置や数値などで表現したものとする。
【００３９】
図６（ｃ）において、第１，第２の信号処理に関する情報および第１，第２の信号処理に共通した共通の信号処理に関する情報を、すべて各信号処理における信号状態とすることもできる。すなわち、録音系VUメータ６２ａ，共通のメータ６４，再生系VUメータ６３ａとする。
第１，第２の信号処理（録音系，再生系）のいずれを選択するかは、図示しない切り替えスイッチの操作、録音系VUメータ６２ａ，再生系VUメータ６３ａのいずれの表示領域をマウスでクリックしたか、あるいは、録音系メータ表示パネル６２，再生系メータ表示パネル６３のいずれの表示領域をマウスでクリックしたかに応じて決定される。
【００４０】
上述した説明では、第１，第２の信号処理を、オーディオ信号に同時に付加される２種類の信号処理とした。
しかし、第１，第２の信号処理は、ステレオの左右チャンネルなどの各系統の信号に対する信号処理であってもよい。
上述した説明では、本発明の信号処理情報表示装置を、オープンデッキの特性をシミュレートするエフェクタ、およびこのエフェクタを備えたオーディオ・ミキシング装置に適用した例について説明した。しかし、エフェクトのタイプは、オープンデッキの音質特性（周波数特性など）に限られない。また、エフェクタ単体、エフェクタ機能を備えたオーディオ・ミキシング装置やシーケンサー装置に限らず、用途に従って様々な信号処理を行う装置に対し、信号処理に関する情報（設定値や信号の状態など）を表す信号処理情報表示装置に適用することができる。
【図面の簡単な説明】
【００４１】
【図１】本発明の実施の一形態を示す機能ブロック図である。
【図２】図１に示したディスプレイに表示させる画面の一例を示す説明図である。
【図３】図１に示した表示画面生成部における表示領域の区切り位置決定動作を説明するフローチャートである。
【図４】ディスプレイに表示させる表示画面の第１の具体例を示す図である
【図５】ディスプレイに表示させる表示画面の第２の具体例を示す図である。
【図６】図１に示したディスプレイに表示させる表示画面の他の例を示す説明図である。
【符号の説明】
【００４２】
１…信号処理情報表示装置、２…信号処理装置、３…ポインティング・デバイス、４…ディスプレイ、５…信号処理設定部、６…表示画面生成部、８…信号処理選択検出部
【図１】
2005115745.tif 000003
【図２】
2005115745.tif 000004
【図３】
2005115745.tif 000005
【図４】
2005115745.tif 000006
【図５】
2005115745.tif 000007
【図６】
2005115745.tif 000008